Podtech/llm-jp-corpus-v4-ja_patent huggingface dataset:
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
光電変換装置であって、
複数の光電変換部、および、前記複数の光電変換部の上に配されたマイクロレンズアレイを有する光電変換基板と、
透光板と、
前記光電変換基板と前記透光板との間に配され、単一の材料で形成され、前記光電変換基板と前記透光板とを結合する第１部材と、
前記第１部材と前記マイクロレンズアレイとの間に配された第２部材と、を備え、
前記第２部材は、前記マイクロレンズアレイよりも低い屈折率および前記マイクロレンズアレイよりも高い空隙率の少なくとも一方を有し、
前記第１部材の前記光電変換基板側の面は、前記複数の光電変換部の上にある部分から前記光電変換装置の側面にかけて、複数の段差を有することを特徴とする光電変換装置。
【請求項２】
光電変換装置であって、
複数の光電変換部、および、前記複数の光電変換部の上に配されたマイクロレンズアレイを有する光電変換基板と、
透光板と、
前記光電変換基板と前記透光板との間に配され、前記光電変換基板と前記透光板とを結合する第１部材と、
前記第１部材と前記マイクロレンズアレイとの間に配された第２部材と、を備え、
前記第２部材は、前記マイクロレンズアレイよりも低い屈折率および前記マイクロレンズアレイよりも高い空隙率の少なくとも一方を有し、
前記マイクロレンズアレイは、前記第２部材で覆われていない第１領域と、前記第２部材で覆われた第２領域とを含み、
前記第１部材の前記光電変換基板側の面は、前記第１領域において前記マイクロレンズアレイの凹部に結合されており、前記第２領域において前記第２部材によって前記マイクロレンズアレイのレンズのピークから隔てられていることを特徴とする光電変換装置。
【請求項３】
前記第１部材の前記面の一部は、前記マイクロレンズアレイによって構成された凹凸に対応した凹凸を有することを特徴とする請求項１又は２に記載の光電変換装置。
【請求項４】
前記第２部材は、バインダによって結合された複数のフィラーを含み、
前記第２部材は、前記複数のフィラーの間に空隙を有することを特徴とする請求項１乃至３の何れか１項に記載の光電変換装置。
【請求項５】
前記第２部材は、バインダによって結合された複数のフィラーを含み、
前記複数のフィラーは、中空構造を有することを特徴とする請求項１乃至３の何れか１項に記載の光電変換装置。
【請求項６】
前記複数のフィラーは、シリカ粒子を含むことを特徴とする請求項４又は５に記載の光電変換装置。
【請求項７】
前記第１部材は、前記第２部材に接触することを特徴とする請求項１乃至６の何れか１項に記載の光電変換装置。
【請求項８】
前記光電変換基板は、導電部材を更に有し、
前記第１部材は、前記導電部材に接触することを特徴とする請求項１乃至７の何れか１項に記載の光電変換装置。
【請求項９】
前記光電変換基板は、
前記複数の光電変換部が配された半導体層と、
前記半導体層の上に配され、配線層が配された絶縁層と、
前記絶縁層の上に配された第３部材と、を更に有し、
前記マイクロレンズアレイは前記第３部材の上に配され、
前記第３部材は複数の段差を有しており、
前記第１部材は、前記第３部材の前記複数の段差を覆うことを特徴とする請求項１乃至８の何れか１項に記載の光電変換装置。
【請求項１０】
前記第３部材は、
第１樹脂層と、
前記第１樹脂層の上に配されたカラーフィルタ層と、
前記カラーフィルタ層を覆う第２樹脂層と、を含み、
前記第３部材の前記複数の段差は、
前記第２樹脂層のうち前記カラーフィルタ層の端部を覆う部分によって構成された段差と、
前記第１樹脂層の端部及び前記第２樹脂層の端部によって構成された段差と、を含むことを特徴とする請求項９に記載の光電変換装置。
【請求項１１】
前記絶縁層は段差を有しており、
前記第１部材は、前記絶縁層の前記段差を覆うことを特徴とする請求項９又は１０に記載の光電変換装置。
【請求項１２】
前記光電変換装置は、前記透光板とは反対側の面に、半田接合のための電極を有し、
前記透光板の上面に対する平面視において、前記電極と前記第２部材とは互いに間隔を置いて配されることを特徴とする請求項１乃至１１の何れか１項に記載の光電変換装置。
【請求項１３】
前記光電変換装置は、前記マイクロレンズアレイの少なくとも一部と前記第２部材との間に配された膜を更に備えることを特徴とする請求項１乃至１２の何れか１項に記載の光電変換装置。
【請求項１４】
前記膜は、前記マイクロレンズアレイと前記第２部材との間から、前記第２部材の端部よりも外側に延在した部分を有し、前記延在した部分が前記第１部材と前記光電変換基板との間に位置することを特徴とする請求項１３に記載の光電変換装置。
【請求項１５】
前記膜は、前記マイクロレンズアレイと前記第２部材との間から、前記第２部材の端部よりも外側に延在した部分を有し、前記延在した部分の端部が前記光電変換装置の側面から離れていることを特徴とする請求項１３に記載の光電変換装置。
【請求項１６】
前記第１部材は、有機材料で構成された部材であることを特徴とする請求項１乃至１４の何れか１項に記載の光電変換装置。
【請求項１７】
前記光電変換基板は、有機材料で構成された部分を含み、
前記有機材料で構成された部分によって段差が構成され、
前記第１部材は、前記有機材料で構成された部分による前記段差に接触することを特徴とする請求項１乃至１６の何れか１項に記載の光電変換装置。
【請求項１８】
前記マイクロレンズアレイは、前記光電変換装置の側面まで延びていることを特徴とする請求項１乃至１７の何れか１項に記載の光電変換装置。
【請求項１９】
請求項１乃至１８の何れか１項に記載の光電変換装置と、
前記光電変換装置から出力された信号を処理する信号処理部と、
を備えることを特徴とするカメラ。
【手続補正２】
【補正対象書類名】明細書
【補正対象項目名】０００５
【補正方法】変更
【補正の内容】
【０００５】
上記課題に鑑みて、光電変換装置であって、複数の光電変換部、および、前記複数の光電変換部の上に配されたマイクロレンズアレイを有する光電変換基板と、透光板と、前記光電変換基板と前記透光板との間に配され、単一の材料で形成され、前記光電変換基板と前記透光板とを結合する第１部材と、前記第１部材と前記マイクロレンズアレイとの間に配された第２部材と、を備え、前記第２部材は、前記マイクロレンズアレイよりも低い屈折率および前記マイクロレンズアレイよりも高い空隙率の少なくとも一方を有し、前記第１部材の前記光電変換基板側の面は、前記複数の光電変換部の上にある部分から前記光電変換装置の側面にかけて、複数の段差を有することを特徴とする光電変換装置が提供される。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
磁性コアと、平角線がエッジワイズ状に巻回された巻回部を有するコイルと、を備えるコイル組立体であって、
前記平角線の両端部は前記巻回部から同一方向に延出されるとともに、前記両端部は受け側コネクタに接続されるコネクタ接続部とされているコイル組立体。
【請求項２】
前記磁性コアおよび前記コイルはコイルケースに収容されており、前記コイルケースのうち少なくとも前記巻回部の軸線方向と交差する壁部に放熱用の開口が設けられており、前記磁性コアの少なくとも一部が前記開口から露出している請求項１に記載のコイル組立体。
【請求項３】
前記コイルケースは、前記磁性コアおよび前記コイルを前記軸線方向と交差する方向から互いの間に隙間を介して挟む一対の分割体からなる、請求項２に記載のコイル組立体。
【請求項４】
前記コイルケースに、当該コイルケースを被固定部に固定するための固定片が一体に設けられている、請求項２または請求項３に記載のコイル組立体。
【請求項５】
前記コネクタ接続部は平坦な板状である請求項１ないし請求項４のいずれか一項に記載のコイル組立体。
【請求項６】
請求項１ないし請求項５のいずれか一項に記載のコイル組立体が、前記受け側コネクタを備えた回路基板に導通接続された回路構成体。
【請求項７】
請求項１ないし請求項５のいずれか一項に記載のコイル組立体が、回路基板と別体に設けられて前記回路基板と導通接続可能な前記受け側コネクタにより前記回路基板と導通接続された回路構成体。
【請求項８】
前記コイル組立体は前記コネクタ接続部が前記巻回部から延出される延出方向が前記回路基板と交差する向きで前記受け側コネクタに接続されている請求項６または請求項７に記載の回路構成体。
【請求項９】
前記コイル組立体は前記コネクタ接続部が前記巻回部から延出される延出方向が前記回路基板に沿う向きで前記受け側コネクタに接続されている請求項６または請求項７に記載の回路構成体。
【請求項１０】
請求項６ないし請求項９のいずれか一項に記載の回路構成体を外側ケースに収容してなる電気接続箱。
【請求項１１】
前記外側ケースに前記コイル組立体を固定するための被固定部が設けられている請求項１０に記載の電気接続箱。
【請求項１２】
前記外側ケースは、前記回路基板を固定する固定側ケースと、前記固定側ケースに固定された前記回路基板を覆うカバー側ケースと、を備え、
前記被固定部は前記カバー側ケースに設けられている請求項１１に記載の電気接続箱。
【請求項１３】
前記カバー側ケースは金属製である請求項１２に記載の電気接続箱。
【請求項１４】
前記外側ケースは前記回路基板と伝熱的に接触された放熱部材を備えており、前記放熱部材に、前記コイル組立体を伝熱的に接触した状態で収容する収容凹部が設けられている請求項１０ないし請求項１３のいずれか一項に記載の電気接続箱。
【手続補正２】
【補正対象書類名】明細書
【補正対象項目名】００６７
【補正方法】変更
【補正の内容】
【００６７】
また、カバー５０にコイル台５３を設け、このコイル台５３にコイル組立体１０の固定片２７を固定する構成としたから、コイル組立体１０が車両の振動等により回路基板３１からずれそうになった場合でもずれ難くなり、コイル組立体１０と回路基板３１との接続信頼性を向上させることができる。
【手続補正３】
【補正対象書類名】明細書
【補正対象項目名】００８０
【補正方法】変更
【補正の内容】
【００８０】
このような本実施形態によれば、コイル組立体６０は一対のコネクタ接続部６８Ａ，６８Ｂの延出方向Ｆが回路基板８１に沿う向きで基板側コネクタ８５に接続されるとともに、磁性コア６２の連結部６５が当接用凸部９４と接触する構成とされているから、コイル組立体６０から発生した熱をヒートシンク９１により速やかに伝熱することができる。もって、放熱性に優れる回路構成体８０および電気接続箱を得ることができる。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
プロセッサを備えるコンピュータにより実行される方法であって、
前記方法は、前記プロセッサに、
ユーザの手の状態を検出するステップと、
前記手に相当し、１つ以上の指オブジェクトを含む手オブジェクトと、入力用オブジェクトと、を含む仮想空間を定義するステップと、
前記手の状態に応じて、前記手オブジェクトを動かすステップと、
前記入力用オブジェクトと前記手オブジェクトとが予め定められた距離以下まで接近した場合に、前記ユーザの手の状態によらず、前記指オブジェクトを伸ばした状態にさせるステップと、
前記手オブジェクトと前記入力用オブジェクトとの位置関係が所定の条件を満たす場合に、入力操作を受け付けるステップと、を実行させる、方法。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
プロセッサを備えるコンピュータにより実行される方法であって、
前記方法は、前記プロセッサに、
仮想空間を定義するステップと、
ユーザの操作入力に応じて、前記ユーザの手指に対応する操作オブジェクトを第１の形態で前記仮想空間に提示するステップと、
前記仮想空間において、前記ユーザの視野の範囲内に他のユーザが含まれる場合に、前記第１の形態で提示された前記操作オブジェクトを、前記他のユーザとのコミュニケーションをとるための形態として予め規定された第２の形態として提示するステップと、
を実行させる、方法。
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
文書中の元語句を秘匿化し、これにより秘匿化文書を生成する生成手段と、
前記秘匿化文書の表示状態においてユーザからヒント要求が出された場合に、前記ユーザに対して前記元語句についてのヒント情報を提供する提供手段と、
を含む、ことを特徴とする文書表示装置。
【請求項２】
請求項１に記載の文書表示装置において、
前記提供手段は、前記ユーザに応じた秘匿化度に基づいて、前記ユーザに対して提供するヒント情報のヒント難易度を決定する、
ことを特徴とする文書表示装置。
【請求項３】
請求項２に記載の文書表示装置において、
前記提供手段は、前記ユーザから複数のヒント要求が順次出された場合に、ヒント難易度が順次引き下がるように、複数のヒント情報を順次提供する、
ことを特徴とする文書表示装置。
【請求項４】
請求項３に記載の文書表示装置において、
前記ユーザに受け入れられた最低ヒント難易度を表す難易度実績情報を管理しておく管理手段、をさらに含み、
前記生成手段は、前記難易度実績情報に基づいて前記元語句を秘匿化する際の秘匿化度を決定する、
ことを特徴とする文書表示装置。
【請求項５】
請求項４に記載の文書表示装置において、
前記生成手段は、前記最低ヒント難易度に相当する秘匿化度で前記元語句を秘匿化する、
ことを特徴とする文書表示装置。
【請求項６】
請求項４に記載の文書表示装置において、
前記生成手段は、前記最低ヒント難易度よりも高い秘匿化度で前記元語句を秘匿化する、
ことを特徴とする文書表示装置。
【請求項７】
請求項１に記載の文書表示装置において、
前記生成手段は、前記ユーザの属性に応じた秘匿化度で前記元語句を秘匿化する、
ことを特徴とする文書表示装置。
【請求項８】
請求項１に記載の文書表示装置において、
前記生成手段は、前記ユーザの文書閲覧実績に応じた秘匿化度で前記元語句を秘匿化する、
ことを特徴とする文書表示装置。
【請求項９】
請求項１に記載の文書表示装置において、
前記提供手段は、前記元語句を含む他の文書に基づいて前記ヒント情報を生成するヒント情報生成手段を含む、
ことを特徴とする文書表示装置。
【請求項１０】
請求項１に記載の文書表示装置において、
前記生成手段は、前記元語句の少なくとも一部を加工することにより前記秘匿化を行い、
前記提供手段は、前記元語句における加工部分の少なくとも一部を復元することにより前記ヒント情報を生成する、
ことを特徴とする文書表示装置。
【請求項１１】
文書中の元語句を秘匿化し、これにより秘匿化文書を生成する生成手段、
前記秘匿化文書の表示状態においてユーザからヒント要求が出された場合に、前記ユーザに対して前記元語句についてのヒント情報を提供する提供手段、
としてコンピュータを機能させるプログラム。
【請求項１２】
請求項１に記載の文書表示装置において、
前記生成手段は、前記文書中の元語句を前記ユーザに応じた秘匿化度で秘匿化する、
ことを特徴とする文書表示装置。
【請求項１３】
請求項１１に記載のプログラムにおいて、
前記生成手段は、前記文書中の元語句を前記ユーザに応じた秘匿化度で秘匿化する、
ことを特徴とするプログラム。
【手続補正２】
【補正対象書類名】明細書
【補正対象項目名】００１２
【補正方法】変更
【補正の内容】
【００１２】
請求項１に係る発明は、文書中の元語句を秘匿化し、これにより秘匿化文書を生成する生成手段と、前記秘匿化文書の表示状態においてユーザからヒント要求が出された場合に、前記ユーザに対して前記元語句についてのヒント情報を提供する提供手段と、を含む、ことを特徴とする文書表示装置である。
【手続補正３】
【補正対象書類名】明細書
【補正対象項目名】００１５
【補正方法】変更
【補正の内容】
【００１５】
請求項４に係る発明は、請求項３に記載の文書表示装置において、前記ユーザに受け入れられた最低ヒント難易度を表す難易度実績情報を管理しておく管理手段、をさらに含み、前記生成手段は、前記難易度実績情報に基づいて前記元語句を秘匿化する際の秘匿化度を決定する、ことを特徴とするものである。
【手続補正４】
【補正対象書類名】明細書
【補正対象項目名】００２２
【補正方法】変更
【補正の内容】
【００２２】
請求項１１に係る発明は、文書中の元語句を秘匿化し、これにより秘匿化文書を生成する生成手段、前記秘匿化文書の表示状態においてユーザからヒント要求が出された場合に、前記ユーザに対して前記元語句についてのヒント情報を提供する提供手段、としてコンピュータを機能させるプログラムである。
請求項１２に係る発明は、請求項１に記載の文書表示装置において、前記生成手段は、前記文書中の元語句を前記ユーザに応じた秘匿化度で秘匿化する、ことを特徴とするものである。
請求項１３に係る発明は、請求項１１に記載のプログラムにおいて、前記生成手段は、前記文書中の元語句を前記ユーザに応じた秘匿化度で秘匿化する、ことを特徴とするものである。
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
コンテンツを表示するトークルームに含まれる第１ユーザの第１端末とコンテンツの送受信を行う、前記トークルームに含まれる第２ユーザの第２端末に実行させるためのプログラムであって、
前記トークルームを前記第２端末の表示部に表示することと、
前記第２ユーザによって前記トークルームに入力された情報に基づき、複数の画像情報を前記表示部に表示することと、
前記複数の画像情報のうち、前記第２ユーザによって選択された第１画像情報を前記トークルームに表示し、前記第１画像情報を前記第１端末に前記第２端末の通信部によって送信することと、
前記第１画像情報に関連付けられた、商品に関する商品情報またはサービスに関するサービス情報を前記トークルームに表示することとを前記第２端末に実行させる。
【請求項２】
請求項１に記載のプログラムであって、
前記商品情報または前記サービス情報は、前記商品または前記サービスに対する検索に関する検索情報を含む。
【請求項３】
請求項２に記載のプログラムであって、
前記第２ユーザによる前記検索情報に対する入力に基づいて、前記商品または前記サービスに対する前記検索の結果である結果情報を前記トークルームに表示し、
前記結果情報は、前記第１ユーザの前記第１端末の前記トークルームに表示される。
【請求項４】
請求項３に記載のプログラムであって、
前記結果情報は、前記商品を購入するまたは前記サービスが行われる店舗に関する店舗情報を含む。
【請求項５】
請求項４に記載のプログラムであって、
前記結果情報は、前記店舗に連絡するための連絡情報を含む。
【請求項６】
請求項４または請求項５に記載のプログラムであって、
前記結果情報は、前記店舗を予約するための予約情報を含む。
【請求項７】
請求項６に記載のプログラムであって、
前記予約が完了した場合、前記予約内容に関する予約内容情報と、前記予約内容を変更するための予約内容変更情報とを前記トークルームに表示することを前記第２端末に実行させる。
【請求項８】
請求項６または請求項７に記載のプログラムであって、
前記予約が完了した場合、前記予約に基づき前記第２ユーザが支払った額に基づく支払い依頼を前記第１ユーザに行うための情報を前記トークルームに表示することを前記第２端末に実行させる。
【請求項９】
請求項８に記載のプログラムであって、
前記支払い依頼は、前記予約に基づき前記第２ユーザが前記支払った額の情報を含む。
【請求項１０】
請求項４から請求項９のいずれか一項に記載のプログラムであって、
前記結果情報は、前記店舗の位置に関する位置情報を含む。
【請求項１１】
請求項１から請求項１０のいずれか一項に記載のプログラムであって、
複数の画像情報は、前記商品情報または前記サービス情報と関連付けられていない第２画像情報を含む。
【請求項１２】
コンテンツを表示するトークルームに含まれる第１ユーザの第１端末とコンテンツの送受信を行う、前記トークルームに含まれる第２ユーザの第２端末の情報処理方法であって、
前記トークルームを前記第２端末の表示部に表示することと、
前記第２ユーザによって前記トークルームに入力された情報に基づき、複数の画像情報を前記表示部に表示することと、
前記複数の画像情報のうち、前記第２ユーザによって選択された第１画像情報を前記トークルームに表示し、前記第１画像情報を前記第１端末に前記第２端末の通信部によって送信することと、
前記第１画像情報に関連付けられた、商品に関する商品情報またはサービスに関するサービス情報を前記トークルームに表示することとを含む。
【請求項１３】
コンテンツを表示するトークルームに含まれる第１ユーザの第１端末とコンテンツの送受信を行う、前記トークルームに含まれる第２ユーザの端末であって、
前記トークルームを表示し、前記第２ユーザによって前記トークルームに入力された情報に基づき、複数の画像情報を表示し、前記複数の画像情報のうち、前記第２ユーザによって選択された第１画像情報を前記トークルームに表示する表示部と、
前記第１画像情報を前記第１端末に送信する通信部とを含み、
前記表示部は、前記第１画像情報に関連付けられた、商品に関する商品情報またはサービスに関するサービス情報を前記トークルームに表示する。
【手続補正２】
【補正対象書類名】明細書
【補正対象項目名】発明の名称
【補正方法】変更
【補正の内容】
【発明の名称】プログラム、情報処理方法、及び端末
【手続補正３】
【補正対象書類名】明細書
【補正対象項目名】０００１
【補正方法】変更
【補正の内容】
【０００１】
本発明は、プログラム、情報処理方法、及び端末に関する。
【手続補正４】
【補正対象書類名】明細書
【補正対象項目名】０００７
【補正方法】変更
【補正の内容】
【０００７】
本発明の一実施形態に係るプログラムは、コンテンツを表示するトークルームに含まれる第１ユーザの第１端末とコンテンツの送受信を行う、前記トークルームに含まれる第２ユーザの第２端末に実行させるためのプログラムであって、前記トークルームを前記第２端末の表示部に表示することと、前記第２ユーザによって前記トークルームに入力された情報に基づき、複数の画像情報を前記表示部に表示することと、前記複数の画像情報のうち、前記第２ユーザによって選択された第１画像情報を前記トークルームに表示し、前記第１画像情報を前記第１端末に前記第２端末の通信部によって送信することと、前記第１画像情報に関連付けられた、商品に関する商品情報またはサービスに関するサービス情報を前記トークルームに表示することとを前記第２端末に実行させる。
また、本発明の一実施形態に係る情報処理方法は、コンテンツを表示するトークルームに含まれる第１ユーザの第１端末とコンテンツの送受信を行う、前記トークルームに含まれる第２ユーザの第２端末の情報処理方法であって、前記トークルームを前記第２端末の表示部に表示することと、前記第２ユーザによって前記トークルームに入力された情報に基づき、複数の画像情報を前記表示部に表示することと、前記複数の画像情報のうち、前記第２ユーザによって選択された第１画像情報を前記トークルームに表示し、前記第１画像情報を前記第１端末に前記第２端末の通信部によって送信することと、前記第１画像情報に関連付けられた、商品に関する商品情報またはサービスに関するサービス情報を前記トークルームに表示することとを含む。
また、本発明の一実施形態に係る端末は、コンテンツを表示するトークルームに含まれる第１ユーザの第１端末とコンテンツの送受信を行う、前記トークルームに含まれる第２ユーザの端末であって、前記トークルームを表示し、前記第２ユーザによって前記トークルームに入力された情報に基づき、複数の画像情報を表示し、前記複数の画像情報のうち、前記第２ユーザによって選択された第１画像情報を前記トークルームに表示する表示部と、前記第１画像情報を前記第１端末に送信する通信部とを含み、前記表示部は、前記第１画像情報に関連付けられた、商品に関する商品情報またはサービスに関するサービス情報を前記トークルームに表示する。
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
共通の被写体を含む３つ以上の視差画像のうち、いずれか１つを基準画像とし、該基準画像以外の視差画像のうち１つを参照画像とし、対応点探索により前記被写体の３次元情報を算出する画像処理装置であって、
前記基準画像以外の視差画像それぞれにおいて、前記基準画像から算出されるエピポーラ線上の輝度勾配に関する評価値に基づいて、前記基準画像以外の視差画像のうち前記参照画像として用いる画像を決定する決定手段と、
前記決定手段によって決定された前記参照画像と前記基準画像とにおいて、対応点を探索する探索手段と
を有することを特徴とする画像処理装置。
【請求項２】
共通の被写体を含む３つ以上の視差画像のうち、いずれか１つを基準画像とし、該基準画像以外の視差画像の全てを参照画像とし、対応点探索により前記被写体の３次元情報を算出する画像処理装置であって、
前記基準画像以外の視差画像それぞれにおいて、前記基準画像から算出されるエピポーラ線上の輝度勾配に関する評価値に基づいて、各参照画像の重みを決定する決定手段と、
前記視差画像それぞれと前記基準画像とにおいて対応点を探索する探索手段と、
前記対応点と前記重みとを用いて、前記被写体の３次元情報を算出する算出手段と
を有することを特徴とする画像処理装置。
【請求項３】
さらに、前記視差画像それぞれにおける輝度に基づいて、前記視差画像ごとの前記評価値を算出する評価値算出手段を有することを特徴とする請求項１に記載の画像処理装置。
【請求項４】
前記決定手段は、前記基準画像の画素毎に決定を行うことを特徴とする請求項３に記載の画像処理装置。
【請求項５】
前記決定手段は、
前記基準画像の画素毎に、該画素に対応する前記基準画像以外の視差画像のそれぞれにおけるエピポーラ線を算出するエピポーラ線算出手段を有し、
前記評価値算出手段は、前記エピポーラ線算出手段が算出した前記エピポーラ線を参照することを特徴とする請求項４に記載の画像処理装置。
【請求項６】
前記評価値算出手段は、前記エピポーラ線上の輝度勾配の大きさを表す値を前記評価値として算出することを特徴とする請求項３に記載の画像処理装置。
【請求項７】
前記評価値算出手段は、前記エピポーラ線上の輝度勾配の方向と前記エピポーラ線の方向との類似度を表す値を前記評価値として算出することを特徴とする請求項３に記載の画像処理装置。
【請求項８】
前記評価値算出手段は、前記エピポーラ線上の輝度勾配の方向と前記エピポーラ線の方向との成す角度を前記評価値として算出することを特徴とする請求項３に記載の画像処理装置。
【請求項９】
前記画像処理装置は、前記基準画像の画素毎に、該画素の近傍における画素の対応点の探索結果に基づいて探索範囲を限定する限定手段をさらに有し、
前記評価値算出手段は、前記探索範囲における前記エピポーラ線上の輝度勾配に関して前記評価値を算出することを特徴とする請求項３乃至８のいずれか１項に記載の画像処理装置。
【請求項１０】
前記３次元情報は、前記基準画像を撮像するカメラから前記被写体までの距離であることを特徴とする請求項１から９のいずれか１項に記載の画像処理装置。
【請求項１１】
共通の被写体を含む３つ以上の視差画像のうち、いずれか１つを基準画像とし、該基準画像以外の視差画像のうち１つを参照画像とし、対応点探索により前記被写体の３次元情報を算出する画像処理方法であって、
前記基準画像以外の視差画像それぞれにおいて、前記基準画像から算出されるエピポーラ線上の輝度勾配に関する評価値に基づいて、前記基準画像以外の視差画像のうち前記参照画像として用いる画像を決定する決定ステップと、
前記決定ステップにおいて決定された前記参照画像と前記基準画像とにおいて、対応点を探索する探索ステップと
を含むことを特徴とする画像処理方法。
【請求項１２】
共通の被写体を含む３つ以上の視差画像のうち、いずれか１つを基準画像とし、該基準画像以外の視差画像の全てを参照画像とし、対応点探索により前記被写体の３次元情報を算出する画像処理方法であって、
前記基準画像以外の視差画像それぞれにおいて、前記基準画像から算出されるエピポーラ線上の輝度勾配に関する評価値に基づいて、各参照画像の重みを決定する決定ステップと、
前記視差画像それぞれと前記基準画像とにおいて対応点を探索する探索ステップと、
前記対応点と前記重みとを用いて、前記被写体の３次元情報を算出する算出ステップと
を含むことを特徴とする画像処理方法。
【請求項１３】
コンピュータを、請求項１から１０のいずれか１項に記載の画像処理装置の各手段として機能させるためのプログラム。
【手続補正２】
【補正対象書類名】明細書
【補正対象項目名】０００６
【補正方法】変更
【補正の内容】
【０００６】
本発明に係る画像処理装置は、共通の被写体を含む３つ以上の視差画像のうち、いずれか１つを基準画像とし、該基準画像以外の視差画像のうち１つを参照画像とし、対応点探索により前記被写体の３次元情報を算出する画像処理装置であって、前記基準画像以外の視差画像それぞれにおいて、前記基準画像から算出されるエピポーラ線上の輝度勾配に関する評価値に基づいて、前記基準画像以外の視差画像のうち前記参照画像として用いる画像を決定する決定手段と、前記決定手段によって決定された前記参照画像と前記基準画像とにおいて、対応点を探索する探索手段とを有することを特徴とする画像処理装置。
【手続補正書】
【提出日】平成30年11月29日(2018.11.29)
【手続補正１】
【補正対象書類名】明細書
【補正対象項目名】０００６
【補正方法】変更
【補正の内容】
【０００６】
上記課題を解決するための本発明の一態様は、画像処理装置であって、
ヒトの顔領域が含まれる画像に対して平滑化処理を施す平滑化手段と、
前記ヒトの顔領域内で、特定の領域を特定する特定手段と、
前記特定手段により特定された特定の領域と、前記ヒトの顔領域以外の領域とに対して、平滑化処理の効果を軽減するための処理を施す軽減処理手段と、
を備えることを特徴としている。
【手続補正２】
【補正対象書類名】特許請求の範囲
【補正対象項目名】全文
【補正方法】変更
【補正の内容】
【特許請求の範囲】
【請求項１】
ヒトの顔領域が含まれる画像に対して平滑化処理を施す平滑化手段と、
前記ヒトの顔領域内で、特定の領域を特定する特定手段と、
前記特定手段により特定された特定の領域と、前記ヒトの顔領域以外の領域とに対して、平滑化処理の効果を軽減するための処理を施す軽減処理手段と、
を備えることを特徴とする画像処理装置。
【請求項２】
前記軽減処理手段は、前記特定手段により特定された特定の領域と、前記ヒトの顔領域以外の領域とでは、処理強度を異ならせて平滑化処理の効果を軽減するための処理を施すことを特徴とする請求項１記載の画像処理装置。
【請求項３】
前記軽減処理手段は、前記特定手段により特定された特定の領域よりも、前記ヒトの顔領域以外の領域の方を前記平滑化処理の効果の軽減の強度を強くするよう処理を施すことを特徴とする請求項２記載の画像処理装置。
【請求項４】
前記軽減処理手段は、前記特定の領域に対して、当該特定の領域の中心から端部にかけて処理強度が弱くなるように前記平滑化処理の効果を軽減するための処理を施すことを特徴とする請求項１〜３の何れか一項に記載の画像処理装置。
【請求項５】
前記軽減処理手段は、前記特定手段により特定された特定の領域と、前記ヒトの顔領域以外の領域とに対して、平滑化処理の効果を軽減するための処理を施すとともに、前記ヒトの顔領域で且つ前記特定の領域以外については前記平滑化処理の効果を残すことを特徴とする請求項１〜４の何れか一項に記載の画像処理装置。
【請求項６】
前記特定手段は、前記平滑化処理の効果を軽減するための処理が施されるべき特定の領域として、瞳が含まれる領域を特定することを特徴とする請求項１〜５の何れか一項に記載の画像処理装置。
【請求項７】
前記軽減処理手段は、前記平滑化処理の効果を軽減するための処理として、エッジを強調する鮮鋭化処理を行うことを特徴とする請求項１〜６の何れか一項に記載の画像処理装置。
【請求項８】
画像処理装置を用いた画像処理方法であって、
ヒトの顔領域が含まれる画像に対して平滑化する処理と、
前記ヒトの顔領域内で、特定の領域を特定する処理と、
特定された特定の領域と、前記ヒトの顔領域以外の領域とに対して、平滑化処理の効果を軽減するための処理を施す処理と、
を含む
ことを特徴とする画像処理方法。
【請求項９】
画像処理装置のコンピュータを、
ヒトの顔領域が含まれる画像に対して平滑化処理を施す平滑化手段、
前記ヒトの顔領域内で、特定の領域を特定する特定手段、
前記特定手段により特定された特定の領域と、前記ヒトの顔領域以外の領域とに対して、平滑化処理の効果を軽減するための処理を施す軽減処理手段、
として機能させることを特徴とするプログラム。
【手続補正書】
【提出日】令和1年7月25日(2019.7.25)
【手続補正１】
【補正対象書類名】明細書
【補正対象項目名】００１１
【補正方法】変更
【補正の内容】
【００１１】
図３に示すように、このような筐体１の内部には光源１１が配置される。光源１１としては、ＬＥＤが好ましく使用され、本実施の形態においては、回路基板と一体化した白色のチップ型ＬＥＤを使用した。勿論、他の光源を使用しても構わない。筐体１は、正面部及び上下左右側面部を構成するパーツと、背面部を構成するパーツが別パーツとなっており、内部に光源１１を配置した後に、背面部を構成するパーツが嵌め込まれる構造となっている。なお、光源１１に接続されるリード線２３は、筐体１の底面に形成されたリード線引出穴（図示しない）から引き出されることになる。
【手続補正２】
【補正対象書類名】明細書
【補正対象項目名】００２３
【補正方法】変更
【補正の内容】
【００２３】
また、光源１１についても、ＬＥＤの他、使用用途、使用環境、必要な光量、発光色等に応じて適宜選定すればよい。上記実施の形態では回路基板と一体化した光源１１を使用したが、筐体１の外部に回路基板を設置し、リード線２３を介して光源１１と接続することも考えられる。また、小型電池も併せて筐体１の内部に配置し、リード線引出孔を廃した形態も考えられる。
【手続補正書】
【提出日】平成30年11月27日(2018.11.27)
【手続補正１】
【補正対象書類名】特許請求の範囲
【補正対象項目名】請求項１
【補正方法】変更
【補正の内容】
【請求項１】
原稿を読取ることで画像データを生成する複合機と、
前記複合機との間で情報の送受信が可能な情報処理端末とからなる情報処理システムであって、
前記情報処理端末は、合成指示と合成内容とを含む前記情報を、前記複合機に送信し、
前記複合機は、前記情報処理端末から受信した前記合成指示に基づき、前記原稿を読み取ることで生成した前記画像データに、前記合成内容を合成して合成画像データを出力すること
を特徴とする情報処理システム。
【手続補正２】
【補正対象書類名】明細書
【補正対象項目名】０００６
【補正方法】変更
【補正の内容】
【０００６】
上記課題を解決するために、本発明に係る情報処理システムは、原稿を読取ることで画像データを生成する複合機と、前記複合機との間で情報の送受信が可能な情報処理端末とからなる情報処理システムであって、前記情報処理端末は、合成指示と合成内容とを含む前記情報を、前記複合機に送信し、前記複合機は、前記情報処理端末から受信した前記合成指示に基づき、前記原稿を読み取ることで生成した前記画像データに、前記合成内容を合成して合成画像データを出力することを特徴としている。
【手続補正３】
【補正対象書類名】明細書
【補正対象項目名】００１４
【補正方法】変更
【補正の内容】
【００１４】
図４は、モバイル端末２００から複合機１００に送信されるメモ情報データの構成例を説明する模式図である。ここで、種別４００はデータの種別を示しており、メモ情報がセットされる。タイトル４０１には、メモのタイトルがセットされる。内容４０２は合成内容としてのメモの内容、ページ４０３には合成指示としてのメモを挿入する原稿のページ数がセットされる。
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
複数の撮像装置の撮像により取得された複数の画像に基づき、被写体の３次元形状に対応する候補領域を生成する生成手段と、
前記候補領域を構成する特定の要素に対して、削除を含む処理を行う処理手段と、
を有し、
前記処理手段は、前記特定の要素の周りの前記候補領域を構成する他の要素の密度に基づき、前記特定の要素に対する削除の程度を制御する、
ことを特徴とする画像処理装置。
【請求項２】
前記処理手段は、さらに所定の基準に基づいて、前記特定の要素に対して処理を行うことを特徴とする請求項１に記載の画像処理装置。
【請求項３】
前記処理手段は、前記特定の要素が所定の基準を満たさず、かつ前記密度が所定の条件を満たさないことに基づいて、前記特定の要素を削除することを特徴とする請求項２に記載の画像処理装置。
【請求項４】
前記処理手段は、前記特定の要素が所定の基準を満たさないことに基づいて、前記特定の要素を削除し、削除された前記特定の要素の周りの前記候補領域を構成する他の要素の密度が所定の条件を満たすことに基づいて、削除された前記特定の要素を復元することを特徴とする請求項２に記載の画像処理装置。
【請求項５】
前記所定の条件は、前記候補領域において、前記特定の要素を含む所定範囲に存在する他の要素の数が、所定の数以上であることをいうこと特徴とする請求項３又は４に記載の画像処理装置。
【請求項６】
前記所定の数は、前記被写体の３次元形状の候補領域を生成する対象である３次元空間における一つの要素に隣接する要素の数に基づいて決定されることを特徴とする請求項５に記載の画像処理装置。
【請求項７】
前記所定の数は、２次元平面における一つの要素に隣接する要素の数に基づいて決定されることを特徴とする請求項５に記載の画像処理装置。
【請求項８】
前記所定の基準は、前記特定の要素に対応する前記複数の画像のそれぞれにおける色の整合性があることをいうことを特徴とする請求項２乃至７のいずれか１項に記載の画像処理装置。
【請求項９】
前記整合性があるとは、前記特定の要素に対応する前記複数の画像のそれぞれにおける画素値相互の類似度の評価値が閾値未満であることをいうことを特徴とする請求項８に記載の画像処理装置。
【請求項１０】
前記所定の基準は、前記特定の要素が、前記被写体の影に対応する要素ではないことをいうことを特徴とする請求項２乃至７のいずれか１項に記載の画像処理装置。
【請求項１１】
前記候補領域は、多面体により表されることを特徴とする請求項１乃至１０のいずれか１項に記載の画像処理装置。
【請求項１２】
前記候補領域は、ボクセルにより表されることを特徴とする請求項１乃至１０のいずれか１項に記載の画像処理装置。
【請求項１３】
複数の撮像装置の撮像により取得された複数の画像に基づき、被写体の３次元形状に対応する候補領域を生成する生成ステップと、
前記候補領域を構成する特定の要素に対して、削除を含む処理を行う処理ステップと、を有し、
前記処理ステップにおいて、前記特定の要素の周りの前記候補領域を構成する他の要素の密度に基づき、前記特定の要素に対する削除の程度が制御される、
ことを特徴とする画像処理方法。
【請求項１４】
コンピュータを、請求項１乃至１２のいずれか１項に記載の画像処理装置として機能させるプログラム。
【手続補正２】
【補正対象書類名】明細書
【補正対象項目名】０００６
【補正方法】変更
【補正の内容】
【０００６】
本発明に係る画像処理装置は、複数の撮像装置の撮像により取得された複数の画像に基づき、前記被写体の３次元形状に対応する候補領域を生成する生成手段と、前記候補領域を構成する特定の要素に対して、削除を含む処理を行う処理手段と、を有し、前記処理手段は、前記特定の要素の周りの前記候補領域を構成する他の要素の密度に基づき、前記特定の要素に対する削除の程度を制御する。
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
複数のマイクロレンズのそれぞれに対応する複数の画素を有し、前記複数の画素それぞれが、予め決められた方向に並べられた複数の副画素を備えた撮像素子を有し、前記副画素の並び方向に分割された瞳分割信号に対して相関演算を行うことにより位相差方式の焦点検出を行う撮像ユニットであって、
前記撮像素子の前面に配置された光学ローパスフィルタを有し、
前記光学ローパスフィルタは、１枚の複屈折板で構成され、前記並び方向に光線を分離し、
前記光学ローパスフィルタの複屈折作用により必要な光線分離幅をδ、前記撮像素子の画素ピッチをｐとすると、
δ／ｐ＜１
であることを特徴とする撮像ユニット。
【請求項２】
予め決められた方向に並べられた複数の画素を含む撮像素子を有し、前記画素の並び方向に分割された瞳分割信号に対して相関演算を行うことにより位相差方式の焦点検出を行う撮像ユニットであって、
前記撮像素子の前面に配置された光学ローパスフィルタを有し、
前記光学ローパスフィルタは、１枚の複屈折板で構成され、前記並び方向に光線を分離し、
前記光学ローパスフィルタの複屈折作用により必要な光線分離幅をδ、前記撮像素子の画素ピッチをｐとすると、
δ／ｐ＜１
であることを特徴とする撮像ユニット。
【請求項３】
前記光学ローパスフィルタは複屈折水晶板であって、前記光学ローパスフィルタの中心軸は水晶結晶軸に対して傾いており、且つ、前記中心軸と前記水晶結晶軸とが成す面と、前記並び方向が平行であることを特徴とする請求項１または２に記載の撮像ユニット。
【請求項４】
前記光学ローパスフィルタの複屈折作用により必要な光線分離幅をδ、前記光学ローパスフィルタの厚みをｔ（mｍ）、前記光学ローパスフィルタの厚み１ｍｍにつき分離される光線分離幅をｈ（μｍ）とすると、
ｔ（mm）＝δ／ｈ（μｍ）
であることを特徴とする請求項３に記載の撮像ユニット。
【請求項５】
前記光学ローパスフィルタを振動させる加振手段を更に有することを特徴とする請求項１乃至４のいずれか１項に記載の撮像ユニット。
【請求項６】
前記複数の画素は、ベイヤー配列のカラーフィルタにより覆われていることを特徴とする請求項１乃至５のいずれか１項に記載の撮像ユニット。
【請求項７】
請求項１乃至６のいずれか１項に記載の撮像ユニットを有することを特徴とする撮像装置。
【手続補正２】
【補正対象書類名】明細書
【補正対象項目名】０００４
【補正方法】変更
【補正の内容】
【０００４】
特開２０１３−５４１２１号公報は、撮像面位相差方式の焦点検出機能を有する撮像素子と光学ローパスフィルタとの関係について開示している。特開２０１３−５４１２１号公報に記載された撮像素子では、撮像素子を構成する一部の画素を、２画素で一対の焦点検出画素として構成している。焦点検出画素は、カラーフィルタに覆われておらず、受光領域が撮影画素と比べて狭いことから、焦点検出画素から出力される信号を撮像画像を形成する信号として用いることができない。従って、撮影画像としては、焦点検出画素の画素領域の情報が欠落することとなり、焦点検出画素の画素領域の周辺画素を用いて欠落情報を補間して生成する必要がある。
【手続補正３】
【補正対象書類名】明細書
【補正対象項目名】０００５
【補正方法】変更
【補正の内容】
【０００５】
特許文献１では、この問題に対して、焦点検出用の複数の画素の並び方向と垂直な方向、つまりカメラ垂直方向にフィルタ効果、つまりは光線分離がなされるように複屈折水晶板を設定している。このように設定することで、焦点検出画素の画素領域の被写体情報（輝度、色）が、画素領域の上ないしは下の隣接画素に含まれることになり、欠落情報を補間する精度を高めることができることを開示している。
【手続補正４】
【補正対象書類名】明細書
【補正対象項目名】００１０
【補正方法】変更
【補正の内容】
【００１０】
上記目的を達成するために、本発明の撮像ユニットは、複数のマイクロレンズのそれぞれに対応する複数の画素を有し、前記複数の画素それぞれが、予め決められた方向に並べられた複数の副画素を備えた撮像素子を有し、前記副画素の並び方向に分割された瞳分割信号に対して相関演算を行うことにより位相差方式の焦点検出を行う撮像ユニットであって、
前記撮像素子の前面に配置された光学ローパスフィルタを有し、
前記光学ローパスフィルタは、１枚の複屈折板で構成され、前記並び方向に光線を分離し、
前記光学ローパスフィルタの複屈折作用により必要な光線分離幅をδ、前記撮像素子の画素ピッチをｐとすると、
δ／ｐ＜１
であることを特徴とする。
【手続補正５】
【補正対象書類名】明細書
【補正対象項目名】００１７
【補正方法】変更
【補正の内容】
【００１７】
また、メインミラー１２１により反射された被写界光は、撮影レンズ１０５による撮像素子１０６の結像面と共役な面に置かれたピント板１２８上に結像される。カメラの撮影者はピント板１２８に結像した被写界像を、ペンタプリズム１２７及び接眼レンズ１２６を介して観察することができ、いわゆるＴＴＬ方式の光学ファインダ構成となっている。
【手続補正６】
【補正対象書類名】図面
【補正対象項目名】図２
【補正方法】変更
【補正の内容】
【図２】
2018032948.tif 000001
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
金属極と充電極と空気極とを備えた金属空気電池であって、
前記充電極は、充電反応を促進する充電領域と、前記充電反応によって発生したガスを排出する排出領域とを備えていることを特徴とする金属空気電池。
【請求項２】
請求項１に記載の金属空気電池であって、
前記充電領域は、前記金属極と前記排出領域との間に位置していることを特徴とする金属空気電池。
【請求項３】
請求項１または２に記載の金属空気電池であって、
前記充電領域は、多数の微細な孔を有する第１部材によって形成され、前記排出領域は、多数の微細な孔を有する第２部材によって形成されており、前記第２部材の前記孔の孔径は、前記第１部材の前記孔の孔径より大きいことを特徴とする金属空気電池。
【請求項４】
請求項３に記載の金属空気電池であって、
前記第１部材の前記孔の孔径は、５０μｍ〜１ｍｍであり、前記第２部材の前記孔の孔径は、８００μｍ〜５ｍｍであることを特徴とする金属空気電池。
【請求項５】
請求項３または請求項４に記載の金属空気電池であって、
前記第１部材の前記孔に対する前記第２部材の前記孔の比率は、１．０より大きく１００以下であることを特徴とする金属空気電池。
【請求項６】
請求項３から請求項５までのいずれか一つに記載の金属空気電池であって、
前記第２部材の厚みは、前記第１部材の厚みより厚いことを特徴とする金属空気電池。
【請求項７】
請求項６に記載の金属空気電池であって、
前記第１部材の厚みは、０．０５ｍｍ〜１．０ｍｍであり、前記第２部材の厚みは、０．５ｍｍ〜５．０ｍｍであることを特徴とする金属空気電池。
【請求項８】
請求項６または請求項７に記載の金属空気電池であって、
前記第１部材の厚みに対する前記第２部材の厚みの比率は、１．０より大きく１００以下であることを特徴とする金属空気電池。
【請求項９】
請求項３から請求項８までのいずれか一つに記載の金属空気電池であって、
前記第１部材の前記孔は、前記充電極が接触する前記金属極の接触表面に対して少なくとも直交する方向に開口し、前記第２部材の前記孔は、前記充電極が接触する前記金属極の接触表面に対して直交する方向及び平行な方向を含む向に開口していることを特徴とする金属空気電池。
【請求項１０】
請求項３から請求項９までのいずれか一つに記載の金属空気電池であって、
前記第２部材は、前記充電反応によって発生した前記ガスを排出する少なくとも一方の端部が開放された１または複数本の溝部を有することを特徴とする金属空気電池。
【請求項１１】
請求項１０に記載の金属空気電池であって、
前記溝部には、対向する辺に、前記ガスの排出方向に向かって傾斜した複数の突起部が形成されていることを特徴とする金属空気電池。
【請求項１２】
請求項１１に記載の金属空気電池であって、
対向する前記複数の突起部は、前記排出方向に沿って互い違いに形成されていることを特徴とする金属空気電池。
【請求項１３】
請求項１０に記載の金属空気電池であって、
前記溝部は、前記ガスの排出方向に対して斜めに傾斜して設けられていることを特徴と
する金属空気電池。
【請求項１４】
請求項３から請求項９までのいずれか一つに記載の金属空気電池であって、
前記第２部材は、連続する凹凸形状に屈曲形成されることにより、前記充電反応によって発生した前記ガスを排出する方向に開放された１または複数の溝部を有する板状体からなり、前記板状体には、前記ガスを排出する方向に直交する面方向に多数の貫通孔が形成されていることを特徴とする金属空気電池。
【請求項１５】
請求項３から請求項９までのいずれか一つに記載の金属空気電池であって、
前記第２部材は、三次元格子構造の構造体であることを特徴とする金属空気電池。
【請求項１６】
請求項１５に記載の金属空気電池であって、
前記三次元格子構造は、三角格子構造、四角格子構造、ハニカム格子構造、ダイヤモンド格子構造のいずれか一つの構造であることを特徴とする金属空気電池。
【請求項１７】
請求項３から請求項１６までのいずれか一つに記載の金属空気電池であって、
前記第１部材は、電子伝導性の多孔質材料によって形成され、前記第２部材は、電子伝導性または絶縁性の多孔質材料によって形成されていることを特徴とする金属空気電池。
【請求項１８】
請求項１から請求項１７までのいずれか一つに記載の金属空気電池であって、
前記金属極と前記充電極との間、及び、前記充電極と前記空気極との間にそれぞれ隔膜が介装されていることを特徴とする金属空気電池。
【手続補正２】
【補正対象書類名】明細書
【補正対象項目名】０００９
【補正方法】変更
【補正の内容】
【０００９】
上記課題を解決するため、本発明の金属空気電池は、金属極と充電極と空気極とを備えた金属空気電池であって、前記充電極は、充電反応を促進する充電領域と、前記充電反応によって発生したガスを排出する排出領域とを備えていることを特徴としている。また、前記充電領域は、前記金属極と前記排出領域との間に位置していることが好ましい。